(57)【特許請求の範囲】
【請求項１】
車両に搭載される複数の表示装置（２１，２２，２３，２５）にコンテンツを表示する表示制御装置（１０）であって、
車両の走行状況を判断する走行状況判断部（６３）と、
表示要求のあった新規コンテンツのコンテンツ種別を判断するコンテンツ種別判断部（６４）と、
前記走行状況判断部にて判断される前記走行状況、及び、前記コンテンツ種別判断部にて判断されるコンテンツ種別を用い、前記各表示装置の配置場所の違いに基づいて、前記表示装置の中から前記新規コンテンツの出力先となる出力先表示装置を決定する情報管理部（６２，Ｓ１５０）と、
を備え、
前記情報管理部（Ｓ１３０）は、さらに前記表示装置の使用状況に基づき、前記出力先表示装置を決定すること
を特徴とする表示制御装置。
【請求項２】
請求項１に記載の表示制御装置において、
前記情報管理部は、少なくとも前記走行状況及び前記コンテンツ種別で規定されるマトリクスを用いて、前記出力先表示装置を決定すること
を特徴とする表示制御装置。
【請求項３】
請求項１又は２に記載の表示制御装置において、
前記情報管理部にて決定された前記出力先表示装置の表示特性情報に基づき、前記新規コンテンツの表示態様を決定し、当該表示態様で前記新規コンテンツを出力する出力情報管理部（６１，Ｓ１６０，Ｓ１７０）をさらに備えていること
を特徴とする表示制御装置。
【請求項４】
請求項１〜３の何れか一項に記載の表示制御装置において、
既に表示されているコンテンツと比べ視認し易い表示態様で前記新規コンテンツを出力する明示出力管理部（６１，Ｓ１７０）をさらに備えていること
を特徴とする表示制御装置。
【請求項５】
請求項１〜４の何れか一項に記載の表示制御装置において、
前記新規コンテンツの出力に伴い、当該新規コンテンツの表示を報知するべく表示音を出力する表示音出力部（６１，Ｓ１８０）をさらに備えていること
を特徴とする表示制御装置。
【請求項６】
請求項１〜５の何れか一項に記載の表示制御装置において、
前記情報管理部（Ｓ１００）は、前記複数の表示装置の接続状況を管理すること
を特徴とする表示制御装置。
【発明の詳細な説明】
【技術分野】
【０００１】
本発明は、車室内に複数の表示装置がある場合に乗員にとって把握し易い表示を行う技術に関する。
【背景技術】
【０００２】
車両の室内で情報を提供するための表示装置として、種々のものが搭載されるようになっている。例えば、主としてドライバへの情報提供を行うヘッドアップディスプレイやメータパネルがある。メータパネルには、液晶などの採用によって種々の情報をグラフィカルに表示可能なものも存在する。また例えば、乗員への情報提供を行うための液晶ディスプレイがある。具体的には、ナビゲーションの地図が表示されるディスプレイや後席でＤＶＤ等を楽しむためのディスプレイがそれである。
【０００３】
従来、これらの表示装置において、どのような配置でコンテンツを表示するのかが提案されている（例えば、特許文献１参照）。この技術では、車両運転状態に応じた表示を行うことで、ドライバの視認性や操作性を向上させる。
【先行技術文献】
【特許文献】
【０００４】
【特許文献１】特開２００９−１５４６４７号公報
【発明の概要】
【発明が解決しようとする課題】
【０００５】
しかしながら、上記特許文献１に記載の技術は、あくまでも一つの表示装置におけるものであり、複数の表示装置、さらに言えばそれら表示装置の配置場所などに着目したものではない。
【０００６】
つまり、従来は、複数の表示装置があった場合、どの表示装置にどの情報を表示するかが予め決められており、複数の表示装置を跨いで制御するという思想がなかったのである。この点、ドライバの視認性や操作性を向上させるという観点では、同じ情報であっても、ある状況下ではＡ表示装置に表示し、別の状況下ではＢ表示装置に表示するということが重要になってくる。このような観点からは、上記特許文献１に記載された発明は、不十分と言わざるを得ない。
【０００７】
本発明は、上述した課題を解決するためになされたものであり、その目的は、表示装置の配置場所の違いに鑑み、ドライバに対して適切な情報提供を行うことが可能な表示制御装置を提供することにある。
【課題を解決するための手段】
【０００８】
上記目的を達成するためになされた請求項１に記載の表示制御装置（１０）は、車両に搭載される複数の表示装置（２１，２２，２３，２５）にコンテンツを表示する。
表示制御装置では、走行状況判断部（６３）が車両の走行状況を判断する。ここで走行状況の判断は、走行中か停車中かという２つの状況を判断するものとしてもよいし、低速走行中、高速走行中などを含めて３つ以上の状況を判断するものとしてもよい。
【０００９】
また、コンテンツ種別判断部（６４）が表示要求のあった新規コンテンツのコンテンツ種別を判断する。コンテンツ種別は、例えば、走行に関連する走行関連情報及び状況に関連する状況関連情報の２つとすることが考えられる。もちろん、コンテンツ種別を、走行系、エンタメ系、操作系、情報系などのように、３つ以上にしてもよい。
【００１０】
ここで特に、本発明では、情報管理部（６２，Ｓ１５０）により、新規コンテンツの出力先となる出力先表示装置が決定される。具体的には、走行状況判断部にて判断される走行状況、及び、コンテンツ種別判断部にて判断されるコンテンツ種別を用い、各表示装置の配置場所の違いに基づいて、出力先表示装置が決定される。
【００１１】
すなわち、ここではコンテンツを一元管理し、走行状況及びコンテンツ種別を用い、各表示装置の配置場所の違いに基づいて、出力先の表示装置を決定する。このようにすれば、表示装置の配置場所の違いに鑑み、ドライバに対して適切な情報提供を行うことができる。
【図面の簡単な説明】
【００１２】
【図１】表示制御システムの概略構成を示すブロック図である。
【図２】表示制御処理を示すフローチャートである。
【図３】（ａ）は走行状況が「停車中」の場合の表示装置の決定の一例を示すマトリクスであり、（ｂ）は走行状況が「走行中」の場合の表示装置の決定の一例を示すマトリクスである。
【図４】表示装置の違いによる表示態様を示す説明図である。
【発明を実施するための形態】
【００１３】
以下、本発明の一実施形態を図面に基づいて説明する。
本実施形態の表示制御システムは、表示制御装置１０、３台のディスプレイ２１，２２，２３、スピーカ２４、出力用外部機器２５、各種ＥＣＵ３１、各種センサ３２、コンテンツ管理部４１、入力用外部機器４２、通信部４３、及び、車外ネットワーク４４を備えている。
【００１４】
ここで３台のディスプレイ２１〜２３は、近距離ディスプレイ２１、中距離ディスプレイ２２、遠距離ディスプレイ２３となっており、車両内の配置場所が異なっている。近距離ディスプレイ２１は、ドライバの視角移動が最も少ない距離にあり、例えばヘッドアップディスプレイ（以下「ＨＵＤ」という）として具現化される。また、中距離ディスプレイ２２は、近距離ディスプレイ２１よりは視角移動の大きい位置にあり、例えばメータパネルとして具現化される。さらにまた、遠距離ディスプレイ２３は、ドライバからの視角移動が最も大きい距離にあり、例えばナビゲーションのための地図を表示する液晶ディスプレイとして具現化される。つまり、ドライバの視角移動の大きさによって「近距離」、「中距離」、「遠距離」という区分けをしたのである。なお、以下の説明で特に各ディスプレイを区別しない場合、適宜「表示装置」と記載するものとする。
【００１５】
表示制御装置１０は、表示対象となるコンテンツをこれらのディスプレイ２１〜２３に表示するのであるが、表示対象となるコンテンツが、コンテンツ管理部４１、入力用外部機器４２、及び、通信部４３を介して車外ネットワーク４４から取得される。このとき、表示制御装置１０は、各種ＥＣＵ３１及び各種センサ３２から取得される車両情報に基づき、また、新規表示要求のあったコンテンツの種別に基づき、３台のディスプレイ２１〜２３のいずれにコンテンツを表示するかを決定する。
【００１６】
次に、各部の構成の詳細を順に説明する。
表示制御装置１０は、制御部５０を中心に構成されている。制御部５０は、ＣＰＵ、ＲＯＭ、ＲＡＭ、Ｉ／Ｏ及びこれらを接続するバスライン等を有するコンピュータとして構成されている。この制御部５０には、各種Ｉ／Ｆ５１〜５７が接続されている。具体的には、ディスプレイ入出力Ｉ／Ｆ５１、スピーカ出力Ｉ／Ｆ５２、外部機器出力Ｉ／Ｆ５３、車両情報Ｉ／Ｆ５４、コンテンツ要求Ｉ／Ｆ５５、外部機器入力Ｉ／Ｆ５６、及び、外部要求Ｉ／Ｆ５７が接続されている。
【００１７】
ディスプレイ入出力Ｉ／Ｆ５１には、上述した３台のディスプレイ２１〜２３が接続されている。かかる構成により、制御部５０は、ディスプレイ入出力Ｉ／Ｆ５１を介して３台のディスプレイ２１〜２３にコンテンツを表示したり、３台のディスプレイ２１〜２３の接続状況を取得したりする。
【００１８】
スピーカ出力Ｉ／Ｆ５２には、スピーカ２４が接続されている。かかる構成により、制御部５０は、スピーカ出力Ｉ／Ｆ５２を介して、スピーカ２４から音（音声）を出力する。本実施形態では、スピーカ２４からコンテンツ表示に伴う表示音を出力することで、新規コンテンツの表示をドライバに伝える。
【００１９】
外部機器出力Ｉ／Ｆ５３には、出力用外部機器２５が接続されている。出力用外部機器２５は、例えばスマートフォンなどの携帯端末として具現化される。もちろん、ＰＤＡ（Personal Data Assistance）などの携帯情報端末を用いても差し支えない。いずれにしても、出力用外部機器２５は、近距離無線通信規格などでデータ通信可能に接続される。かかる構成により、出力用外部機器２５を一種の表示装置として利用可能となっている。もっとも、以下では３台のディスプレイ２１〜２３が表示装置であるものとして説明する。
【００２０】
車両情報Ｉ／Ｆ５４には、ＣＡＮプロトコルなどで動作する車両内ネットワーク３３を介して、各種ＥＣＵ３１及び各種センサ３２が接続されている。かかる構成により、制御部５０によって車両情報が取得可能となっている。本実施形態では、取得される車両情報に基づき、制御部５０によって、走行中か停車中かという車両の走行状況が判断される。
【００２１】
コンテンツ要求Ｉ／Ｆ５５には、コンテンツ管理部４１が接続されている。コンテンツ管理部４１は、各種コンテンツを管理している。具体的には、警告表示、車速、ナビゲーションのための地図、エンジン回転数、オーディオ情報、エアコン情報などが挙げられる。そして、コンテンツの表示要求があると、要求されたコンテンツをコンテンツ要求Ｉ／Ｆ５５へ出力する。コンテンツの表示要求は、図示していないが、もっとも優先されるのが、ユーザ操作に基づく要求である。例えばエアコンボタンをユーザが押下することで、エアコン情報の表示が要求されるという具合である。また、システムによるコンテンツの表示要求もある。例えば走行中には、車速やエンジン回転数の表示が要求されるという具合である。
【００２２】
外部機器入力Ｉ／Ｆ５６には、入力用外部機器４２が接続されている。入力用外部機器４２は、上述した出力用外部機器２５と同様、例えばスマートフォンなどの携帯端末として具現化される。もちろん、ＰＤＡ（Personal Data Assistance）などの携帯情報端末を用いても差し支えない。いずれにしても、入力用外部機器４２は、近距離無線通信規格などでデータ通信可能に接続される。かかる構成により、入力用外部機器４２からのコンテンツ取得が可能となる。入力用外部機器４２から取得されるコンテンツは、例えばナビゲーションのための地図や受信したメールであることが考えられる。なお、出力用外部機器２５と入力用外部機器４２とを同一の機器で構成してもよい。
【００２３】
外部要求Ｉ／Ｆ５７には、通信部４３が接続されている。この通信部４３により、インターネットなどの車外ネットワーク４４を介したデータ通信が可能となっている。かかる構成により、車外ネットワーク４４からのコンテンツ取得が可能となる。車外ネットワーク４４から取得されるコンテンツは、入力用外部機器４２と同様、例えばナビゲーションのための地図や受信したメールであることが考えられる。
【００２４】
次に、制御部５０の機能について説明する。
図１に示すように、制御部５０の機能ブロックは、出力情報管理部６１、情報管理部６２、走行状況判断部６３、及び、コンテンツ種別判断部６４で示される。
【００２５】
出力情報管理部６１は、ディスプレイ入出力Ｉ／Ｆ５１を介した各ディスプレイ２１〜２３への出力、スピーカ出力Ｉ／Ｆ５２を介したスピーカ２４への出力、外部機器出力Ｉ／Ｆ５３を介した出力用外部機器２５への出力を司る。このとき本実施形態では、３台のディスプレイ２１〜２３の表示特性情報がディスプレイ入出力Ｉ／Ｆ５１から入力されるようになっており、それぞれのディスプレイ２１〜２３に合わせた表示態様で出力する。
【００２６】
情報管理部６２は、各種情報を管理する。例えば、ディスプレイ入出力Ｉ／Ｆ５１からの情報に基づき、各ディスプレイ２１〜２３の接続状況を取得する。また例えば、スピーカ出力Ｉ／Ｆ５２からの情報に基づき、スピーカ２４の接続状況を取得する。さらにまた例えば、外部機器出力Ｉ／Ｆ５３からの情報に基づき、出力用外部機器２５の接続状況を取得する。また例えば、各ディスプレイ２１〜２３の使用状況も管理している。
【００２７】
走行状況判断部６３は、車両情報Ｉ／Ｆ５４を介して取得される車両情報に基づき、走行状況を判断する。具体的には、車両情報としての車速などに基づいて、車両が走行中か停車中かを判断する。この判断結果は、情報管理部６２へ出力される。なお、走行中か停車中かを判断するのであれば、車速に代えて、シフトポジションなどの情報を用いるようにしてもよい。
【００２８】
コンテンツ種別判断部６４は、コンテンツ要求Ｉ／Ｆ５５、外部機器入力Ｉ／Ｆ５６、及び、外部要求Ｉ／Ｆ５７を介して取得されるコンテンツの種別を判断する。具体的には、走行に関するコンテンツ（以下「走行関連情報」という）であるのか、状況に関するコンテンツ（以下「状況関連情報」という）であるのか、を判断する。走行関連情報には、警告表示、車速、エンジン回転数、及び、ナビゲーションのための地図などが含まれる。一方、状況関連情報には、オーディオ情報、エアコン情報、メール受信情報などが含まれる。この判断結果は、情報管理部６２へ出力される。
【００２９】
次に、図２に示す表示制御処理を説明する。この表示制御処理は、制御部５０によって繰り返し実行される。
最初のＳ１００では、表示装置の接続状況を取得する。この処理は、情報管理部６２の機能として実現される。図１で言えば、３台のディスプレイ２１〜２３が接続されているものと判断される。
【００３０】
続くＳ１１０では、新規表示要求があるか否かが判断される。この処理は、コンテンツ要求Ｉ／Ｆ５５、外部機器入力Ｉ／Ｆ５６、及び、外部要求Ｉ／Ｆ５７を介して新規コンテンツが入力されたか否かを判断するものである。ここで新規表示要求があると判断された場合（Ｓ１１０：ＹＥＳ）、Ｓ１２０へ移行する。一方、新規表示要求がないと判断された場合（Ｓ１１０：ＮＯ）、以降の処理を実行せず、表示制御処理を終了する。
【００３１】
Ｓ１２０では、コンテンツ種別を判断する。この処理は、コンテンツ種別判断部６４の機能として実現される。上述したように、新規表示要求のあったコンテンツが、走行関連情報なのか、あるいは、状況関連情報なのかを判断する。
【００３２】
続くＳ１３０では、現状表示を確認する。この処理は、ディスプレイ入出力Ｉ／Ｆ５１からの情報に基づくものであり、情報管理部６２の機能として実現される。
次のＳ１４０では、走行状況を判断する。この処理は、車両情報Ｉ／Ｆ５４からの車両情報に基づくものであり、走行状況判断部６３の機能として実現される。上述したように、走行中か停車中かが判断されることになる。
【００３３】
続くＳ１５０では、表示装置を決定する。この処理は、コンテンツの出力先となる表示装置を複数のディスプレイ２１〜２３の中から決定するものであり、現状表示を基に、コンテンツ種別及び走行状況から決定する。ここで、表示装置の決定について説明する。
【００３４】
図３（ａ）及び図３（ｂ）中の「近」、「中」、「遠」はそれぞれ、近距離ディスプレイ２１、中距離ディスプレイ２２、及び、遠距離ディスプレイ２３に対応する。なお、図３（ａ）及び図３（ｂ）の説明では、説明文を煩雑にしないため、適宜「近」、「中」及び「遠」で各ディスプレイ２１〜２３を表す。なお、ここでは、価値の高いコンテンツから「近」→「中」→「遠」の順で配置されるものとする。
【００３５】
ここで、ケースＷでは、現状表示として、３台のディスプレイ２１〜２３にＡ〜Ｃのコンテンツより優先度が低い任意のコンテンツが表示されていてもよいし、何も表示されていなくてもよい状態である。また、ケースＸでは、現状表示として、「近」にＡコンテンツが表示されている。さらにまた、ケースＹでは、現状表示として、「近」にＡコンテンツが表示され、「中」にＢコンテンツが表示されている。また、ケースＺでは、「近」にＡコンテンツが表示され、「中」にＢコンテンツが表示され、「遠」にＣコンテンツが表示されている。
【００３６】
なお、図３（ｂ）にケースＷがないのは、走行中である場合少なくとも、優先度が高い車両の速度情報が表示されるのが一般的だからである。また、新規表示要求のあったコンテンツは、Ａ〜Ｃのコンテンツと同等の価値を有するものであるとして説明を続ける。
【００３７】
図３（ａ）に示すように、走行状況が「停車中」である場合、コンテンツ種別が「走行関連情報」であっても「状況関連情報」であってもその価値に差異はないと考え、基本的に新規表示要求のあったコンテンツを「中」に割り当てる。すなわち、中距離ディスプレイ２２を表示装置として決定する。なお、ケースＹ，Ｚでは「中」に割り当てられていたＢコンテンツが「遠」に割り当てられ、ケースＺでは、「遠」に割り当てられていたＣコンテンツが表示されなくなる。また、ケースＷでは、現状表示として３台のディスプレイ２１〜２３に何も表示されていないため、この場合は、新規表示要求のあったコンテンツを「近」に割り当てる。すなわち、近距離ディスプレイ２１を表示装置として決定する。
【００３８】
一方、図３（ｂ）に示すように、走行状況が「走行中」である場合、コンテンツ種別が「走行関連情報」である場合には、停車中に比べて、その価値が高くなる。そのため、コンテンツ種別が「走行関連情報」である場合には、ケースＸ〜Ｚのいずれにおいても、新規表示要求のあったコンテンツを「近」に割り当てる。すなわち、近距離ディスプレイ２１が表示装置として決定される。このとき、Ａコンテンツは「中」に割り当てられ、ケースＹ，ＺではＢコンテンツが「遠」に割り当てられ、ケースＺではＣコンテンツが表示されなくなる。
【００３９】
反対に、コンテンツ種別が「状況関連情報」である場合には、停車中に比べて、その価値が低くなる。そのため、コンテンツ種別が「状況関連情報」である場合には、基本的に新規表示要求のあったコンテンツを「遠」に割り当てる。すなわち、遠距離ディスプレイ２３を表示装置として決定する。このとき、ケースＺでは、Ｃコンテンツが表示されなくなる。また、ケースＸでは、「中」にコンテンツが割り当てられていないため、新規要求のあったコンテンツを「中」に割り当てる。すなわち、中距離ディスプレイ２２を表示装置として決定する。
【００４０】
このようなマトリクスを用意することにより、比較的簡単に表示装置を決定することが可能となる。なお、ここでは新規表示要求のあったコンテンツがＡ〜Ｃのコンテンツと同等の価値を有するものとして説明したが、基本となるマトリクスと共にコンテンツ同士の価値判断を行うようにしてもよい。例えば、図３（ａ）の例では「走行関連情報」であるコンテンツは基本的に「中」に割り当てられていたが、その価値がＢコンテンツに劣る場合には、新規表示要求のあったコンテンツを「遠」に割り当てるようにしてもよい。
【００４１】
図２に戻り、Ｓ１６０では、出力態様を決定する。この処理は、ディスプレイ入出力Ｉ／Ｆ５１を介して取得される３台のディスプレイ２１〜２３の表示特性情報に基づき表示態様を決定するものであり、出力情報管理部６１の機能として実現される。表示特性情報とは、解像度やカラー表示、画面サイズなどの情報である。例えばナビゲーションの地図などが表示される液晶ディスプレイは、解像度が高くカラー表示に優れるという表示特性情報を有する。また例えば、ＨＵＤは、解像度が低くカラー表示に劣るという表示特性情報を有する。そのためここでは、Ｓ１５０にて決定された表示装置に合わせて、出力態様を決定する。
【００４２】
続くＳ１７０では、新規表示要求のコンテンツを出力する。この処理は、出力情報管理部６１の機能として実現される。このとき、Ｓ１５０にて決定された３台のディスプレイ２１〜２３のいずれかに対して出力を行うと共に、Ｓ１６０にて決定された出力態様で出力を行う。また、本実施形態では、新規表示要求のあったコンテンツがドライバに認識されやすいように、コンテンツの明度を上げて表示する。
【００４３】
ここで出力態様の具体例を説明する。例えば地図上の案内に関するコンテンツを表示する場合、液晶ディスプレイ装置に表示する場合には、図４（ａ）に示すように詳細な案内地図を表示し、ＨＵＤに表示する場合には、図４（ｂ）に示すように「８０ｍ先」という文字と矢印とを表示するという具合である。また例えばメール受信情報に関するコンテンツを表示する場合、液晶ディスプレイに表示する場合には、図４（ｃ）に示すようにメールマークに加え、宛先、件名及び本文を表示し、ＨＵＤに表示する場合には、図４（ｄ）に示すようにメールマークと「Ｋさんよりメール受信」という文字を表示するという具合である。
【００４４】
次のＳ１８０では、表示に伴う表示音を出力する。この処理は、新規表示要求のあったコンテンツが表示されたことを音で知らせるものであり、出力情報管理部６１の機能として実現される。具体的には、コンテンツの表示と同時に音を出力することが考えられる。この音は、「ポロン」というような効果音であってもよいし、「新規表示があります」というような音声であってもよい。また、どの表示装置に表示されたかを示すように、スピーカ２４が複数存在することを前提に、表示装置に近い側のスピーカ２４から音を出力してもよい。例えば、右ハンドルの車両で左右ドアにスピーカ２４が配置されている場合、メータパネルやＨＵＤとして具現化される近距離ディスプレイ２１及び中距離ディスプレイ２２にコンテンツ表示を行うのであれば右側のスピーカ２４から音を出力し、液晶ディスプレイとして具現化される遠距離ディスプレイ２３にコンテンツ表示を行うのであれば左側のスピーカ２４から音を出力するという具合である。
【００４５】
次に、本実施形態の表示制御装置１０が発揮する効果を説明する。
本実施形態では、コンテンツの新規表示要求があると（図２中のＳ１１０：ＹＥＳ）、コンテンツ種別が判断され（Ｓ１２０）、走行状況が判断されて（Ｓ１４０）、出力先となる表示装置が決定される（Ｓ１５０）。つまり、コンテンツが一元管理され、走行状況及びコンテンツ種別を用い各表示装置の配置場所の違いに基づいて、出力先の表示装置が決定される。これにより、表示装置の配置場所の違いに鑑み、ドライバに対し適切な情報提供を行うことができる。
【００４６】
また、本実施形態では、現状表示の確認を行い（図２中のＳ１３０）、出力先となる表示装置を決定する（Ｓ１５０）。すなわち、情報管理部６２は、表示装置の使用状況に基づき、出力先表示装置を決定する。これにより、現状表示を踏まえて表示装置が決定されるため、ドライバに対しより適切な情報提供を行うことができる。
【００４７】
さらにまた、本実施形態では、図３（ａ）及び図３（ｂ）に示したマトリクスを用いて、表示装置を決定する（図２中のＳ１５０）。すなわち、情報管理部６２は、少なくとも走行状況及びコンテンツ種別で規定されるマトリクスを用いて、出力先表示装置を決定する。これにより、表示装置の決定処理が比較的簡単に実現される。
【００４８】
また、本実施形態では、ディスプレイ２１〜２３の解像度、カラー表示、及び、画面サイズなどからなる表示特性情報を取得し、出力態様を決定し（図２中のＳ１６０）、当該出力態様でコンテンツを出力する（Ｓ１７０）すなわち、出力情報管理部６１は、出力先表示装置の表示特性情報に基づき、新規コンテンツの表示態様を決定し、当該表示態様で新規コンテンツを出力する。具体的には、図４（ａ）〜（ｄ）に示したように、例えば液晶ディスプレイとＨＵＤとでコンテンツの表示態様を変化させる。これにより、出力先表示装置に合わせたコンテンツ表示が行われるため、ドライバに対しより適切な情報提供を行うことができる。
【００４９】
さらにまた、本実施形態では、新規表示要求のあったコンテンツの出力においては、当該コンテンツの明度を上げて出力する（図２中のＳ１７０）。すなわち、既に表示されているコンテンツと比べ視認し易い表示態様で新規コンテンツを出力する。これにより、新規コンテンツの表示がより分かり易いものとなる。
【００５０】
また、本実施形態では、新規表示要求のあったコンテンツの表示に伴う表示音を出力する（図２中のＳ１８０）。すなわち、新規コンテンツの出力に伴い、当該新規コンテンツの表示を報知するべく表示音を出力する。これにより、新規コンテンツの表示にドライバが気付きやすくなる。
【００５１】
さらにまた、本実施形態では、表示装置の接続状況を取得する（図２中のＳ１００）。すなわち、情報管理部６２が複数の表示装置の接続状況を管理する。これにより、表示装置の着脱があった場合であっても、ドライバに対し適切な情報提供を行うことができる。
【００５２】
以上、本発明は、上述した実施形態に何ら限定されるものではなく、その技術的範囲を逸脱しない限りにおいて、種々なる形態で実施できる。
（イ）上記実施形態では走行状況の判断が「走行中」及び「停車中」の２つの状況を判断するものとなっているが、さらに、「低速走行中」、「高速走行中」などに分けて３つ以上の状況を判断するものとしてもよい。
【００５３】
（ロ）上記実施形態ではコンテンツ種別が「走行関連情報」及び「状況関連情報」の２つとなっているが、さらに、走行系、エンタメ系、操作系、情報系という具合に、３つ以上にしてもよい。
【００５４】
（ハ）上記実施形態では、新規表示要求のあったコンテンツの出力においては、当該コンテンツの明度を上げて出力している（図２中のＳ１７０）。これに対し、既に表示されているコンテンツと比べ視認し易い表示態様で新規コンテンツを出力すればよいため、例えば色を変えたり、点滅させたりするようにしてもよい。
【００５５】
（ニ）上記実施形態では、説明を簡単にするために３台のディスプレイを表示装置としたが、出力用外部機器２５を含めて同様の制御を行っても良い。
【符号の説明】
【００５６】
１０…表示制御装置、２１…近距離ディスプレイ、２２…中距離ディスプレイ、２３…遠距離ディスプレイ、２４…スピーカ、２５…出力用外部機器、３１…各種ＥＣＵ、３２…各種センサ、３３…車両内ネットワーク、４１…コンテンツ管理部、４２…入力用外部機器、４３…通信部、４４…車外ネットワーク、５０…制御部、５１…ディスプレイ入出力Ｉ／Ｆ、５２…スピーカ出力Ｉ／Ｆ、５３…外部機器出力Ｉ／Ｆ、５４…車両情報Ｉ／Ｆ、５５…コンテンツ要求Ｉ／Ｆ、５６…外部機器入力Ｉ／Ｆ、５７…外部要求Ｉ／Ｆ、６１…出力情報管理部、６２…情報管理部、６３…走行状況判断部、６４…コンテンツ種別判断部
【図１】
0005948902.tif 000002
【図２】
0005948902.tif 000003
【図３】
0005948902.tif 000004
【図４】
0005948902.tif 000005